(57)【要約】【課題】視差調整機構に発生するフレアの問題を解決するとともに同時に同じファインダレンズで視度も調整することができるファインダ装置の調整機構および調整方法を提供する。【解決手段】第１ファインダレンズ７はレンズ部７ｂの外側に段差部７ａを有する。レンズ取付部であるファインダベース１５はレンズ部７ｂの外形寸法より大きい開口部１５ａを有する。レンズ部７ｂに光を遮蔽するスペーサ１１を挿通し、第１ファインダレンズ７を開口部１５ａに入れて固定する。このとき、第１ファインダレンズ７を上下左右に移動して視差調整を行う。また、厚さの異なるスペーサ１１を選択することにより視度調整も可能である。段差部７ａに入射しようとする外部の光はスペーサで阻止されファインダ内に進入することはなく、ファインダ内部でフレアなどの有害な現象は起こらない。【選択図】        図２
2004151463.tif 000002
【特許請求の範囲】
【請求項１】
光軸方向の少なくとも一方に段差部と、該段差部より光軸寄りで突出するレンズ部とを設けた段差付きレンズ部と、
前記レンズ部の外形寸法より大きい開口部を有するレンズ取付部と、
前記段差部と前記レンズ取付部との間に配置し、前記段差部に進入する光を遮蔽するスペーサとを備えるファインダ装置。
【請求項２】
異なる厚さの前記スペーサを配置可能にすることを特徴とする請求項１記載のファインダ装置。
【請求項３】
前記光軸上に進退してズーミングする１以上のレンズを設けたことを特徴とする請求項１または２記載のファインダ装置。
【請求項４】
前記段差付きレンズは被写体に向き合う第１のファインダレンズであることを特徴とする請求項１乃至３記載のファインダ装置。
【請求項５】
前記第１のファインダレンズは、前記レンズ取付部の被写体側から配置されることを特徴とする請求項４記載のファインダ装置。
【請求項６】
光軸方向の少なくとも一方に段差部と、該段差部より光軸寄りで突出するレンズ部とを設けた段差付きレンズ部と、
前記レンズ部の外形寸法より大きい開口部を有するレンズ取付部と、
前記段差部と前記レンズ取付部との間に前記段差部に進入する光を遮蔽するスペーサとを備え、
前記段差付きレンズ部を前記レンズ部が前記開口部内を光軸に対し略直角方向に移動するように移動させて視差調整することを特徴とするファインダ装置の調整方法。
【請求項７】
前記スペーサの厚さを選択することにより視度調整することを特徴とする請求項６記載のファインダ装置の調整方法。
【請求項８】
前記光軸上に進退してズーミングする１以上のレンズを備え、該レンズを進退してズーミングするように構成したことを特徴とする請求項６または７記載のファインダ装置の調整方法。
【請求項９】
前記段差付きレンズ部は被写体側からファインダ接眼側に向かって配設し、前記段差部を前記レンズ取付部の被写体側に配置することを特徴とする請求項６乃至８記載のファインダ装置の調整方法。
【発明の詳細な説明】
【０００１】
【発明の属する技術分野】
本発明は、カメラのファインダ装置の調整機構およびその調整方法に関する。
【０００２】
【従来の技術】
ディジタルカメラや銀塩カメラのファインダ装置は、撮影レンズで取り込まれる被写体範囲とのズレを補正するため組み立て時に視差調整が行われる。
【特許文献１】特開平１１−２８２０５２号公報
【０００３】
【発明が解決しようとする課題】
図５はファインダ調整機構を断面で示した平面図である。
この図は本件発明者が実施を予定しているファインダ装置のズーム機構を示すものである。対物側のファインダレンズは第１〜第４ファインダレンズ７，８，９，１０で構成されている。第１および第４ファインダレンズ７，１０は固定されており、第２および第３ファインダレンズ８，９はズームのために光軸方向に進退可能である。
このファインダ機能の視差調整は第１ファインダレンズによって行われる。
【０００４】
図６は、ファインダ調整機構の第１ファインダレンズ付近を示す断面図である。
ファインダベース２２に対し、第１ファインダレンズ２５の段差部２５ａがファインダベース２２の開口部２２ａに挿入されて図示しない部材により固定される。第１ファインダレンズ２５のレンズ部２５ｂの外形寸法を開口部２２ａの内形寸法より大きくし、第１ファインダレンズを嵌合した状態でＹ軸方向またはＸ軸方向に移動可能にしてある。そのため第１ファインダレンズ組み立て時に視差を調整して取り付けることができる。
【０００５】
しかしながらこの視差調整機構のために開口部２２ａとレンズ部２５ｂの外形との間に隙間２４ができ、この隙間部分に光線が進入し、フレアが発生する場合があるという問題がある。
本発明の目的は、上記視差調整機構に発生するフレアの問題を解決するとともに同時に同じファインダレンズで視度も調整することができるファインダ装置の調整機構および調整方法を提供することにある。
【０００６】
【課題を解決するための手段】
前記目的を達成するために本発明によるファインダ装置は、光軸方向の少なくとも一方に段差部と、該段差部より光軸寄りで突出するレンズ部とを設けた段差付きレンズ部と、前記レンズ部の外形寸法より大きい開口部を有するレンズ取付部と、前記段差部と前記レンズ取付部との間に配置し、前記段差部に進入する光を遮蔽するスペーサとを備える構成とする。
本発明によるファインダ装置は異なる厚さの前記スペーサを配置可能にする構成とする。
本発明によるファインダ装置は前記光軸上に進退してズーミングする１以上のレンズを設けた構成とする。
本発明によるファインダ装置における前記段差付きレンズは被写体に向き合う第１のファインダレンズである構成とする。
本発明よるファインダ装置における前記第１のファインダレンズは、前記レンズ取付部の被写体側から配置される構成とする。
また、本発明によるファインダ装置の調整方法は光軸方向の少なくとも一方に段差部と、該段差部より光軸寄りで突出するレンズ部とを設けた段差付きレンズ部と、前記レンズ部の外形寸法より大きい開口部を有するレンズ取付部と、前記段差部と前記レンズ取付部との間に前記段差部に進入する光を遮蔽するスペーサとを備え、前記段差付きレンズ部を前記レンズ部が前記開口部内を光軸に対し略直角方向に移動するように移動させて視差調整する構成とする。
本発明によるファインダ装置の調整方法は前記スペーサの厚さを選択することにより視度調整する構成とする。
本発明によるファインダ装置の調整方法は前記光軸上に進退してズーミングする１以上のレンズを備え、該レンズを進退してズーミングする構成とする。
本発明によるファインダ装置の調整方法における前記段差付きレンズ部は被写体側からファインダ接眼側に向かって配設し、前記段差部を前記レンズ取付部の被写体側に配置する構成とする。
【０００７】
【作用】
上記構成によれば、視差調整機構の段差付きレンズの段差部から進入する光を遮光することで、被写体となる像を鮮明に視認することができるとともに、視度調整も同時に行うことができる。
【０００８】
【発明の実施の形態】
以下、図面等を参照して本発明の実施の形態を詳しく説明する。
図１は、本発明によるファインダ装置の調整機構を適用したディジタルカメラの外観図で、（ａ）は正面斜視図，（ｂ）は背面図である。
本発明によるファインダ装置２はディジタルカメラ１の正面上部右端に配置されている。ファインダ装置２の対物レンズ系３の第１ファインダレンズが視度調整を行うレンズとなる。カメラ本体背面右上のズームボタン４を押すと、撮影レンズ６がズーム動作し同時にファインダ対物レンズ系３もズーム動作を行い、被写体画像をファインダ接眼部５または液晶画面で確認することができる。
【０００９】
図２は、本発明によるファインダ装置の調整機構の実施の形態を示す一部分解斜視図、図３は、該調整機構の正面図である。
図２はファインダ対物レンズ系部分が見えるようにその前側の部品の一部を省略して示したものである。レンズ取付部であるファインダベース１５に案内軸１６が固定され、第２ファインダレンズ８および第３ファインダレンズ９を固定するレンズ枠を支持する円筒ガイド１７，１８が前記案内軸１６で案内されるように構成されている。
対物レンズ系のレンズはこの他に最も後ろ側に固定される第４ファインダレンズ１０および被写体側に固定される本発明に係わる段差付きレンズの第１ファインダレンズ７を含む。
【００１０】
円筒ガイド１７，１８の下部にはカム従動突起１７ａ，１８ａが植設されている。カム従動突起１７ａ，１８ａはファインダカム２０の螺旋カム部１９の側面に接触し、図示しないスプリングにより円筒ガイド１７，１８に引き合う付勢力が与えられているため、螺旋カム部１９の側面を挟み付ける状態となっている。ズーム操作により図示しないギヤからカムギヤ２１にモータ回転力が伝達されると、ファインダカム２０は回転し、螺旋カム部１９に沿ってカム従動突起１７ａ，１８ａが案内されるため第２ファインダレンズ８および第３ファインダレンズ９は案内軸を移動し、ファインダのズーム動作が行われる。
ファインダベース１５には第１ファインダレンズ７を取り付けるための開口部１５ａが設けられている。
【００１１】
第１ファインダレンズ７の表側（被写体対面側）の上下には該第１ファインダレンズ７を固定する部材（板バネなど）で押え込むための押込段差部７ｃを有している。
裏面側には、中央部分に長方形状のレンズ部７ｂが、上下左右に段差部７ａが形成されている。ポリエステルフィルム等からなり、好ましくは黒色からなる遮光性のスペーサ１１は、長方形状のマイラーを用いており、長方形状のレンズ部７ｂ外形に嵌め合わせるための開口孔１１ａを有している。
長方形状のレンズ部７ｂの外形は、ファインダベース１５の開口部１５ａより小さくなっている。
第１ファインダレンズ７を組み立てる場合、レンズ部７ｂにスペーサ１１を挿通し、ファインダベース１５の開口部１５ａに挿入する。そして図示しないレンズ７の固定する部材を段差部７ｃに押し付けて固定する。
【００１２】
このときの取り付けた状態は図５に示す通りである。
組み立てる際には第１ファインダレンズ７を光軸に対し上下または左右に移動して視差の調整を行う。また、スペーサ１１は予め厚さの異なるものを複数用意しておき、挿入するスペーサを選ぶことにより視度調整も可能である。
具体的には、例えば、被写体をカメラ本体からディジタル信号として液晶やブラウン管等の表示装置に表示させ、他方、ＣＣＤ等のカメラを用いてファインダ装置から視認される被写体をディジタル信号として液晶やブラウン管等の表示装置に表示させ、双方の表示を比較し、カメラからディジタル変換して映される被写体と、ファインダ装置から視認できる被写体とが同一になるように第１のファインダレンズを所要に移動して調整を行う。
【００１３】
図４は、本発明によるファインダ装置の調整機構の第１ファインダレンズ付近の概念図である。
段差部７ａにスペーサ１１が入っているため、段差部７ａに進入する光線２６はスペーサ１１によって阻止される。そのため、段差部７ａを通ってファインダに進入する光線はなくなり、フレアなどの有害な現象を防止することができる。
【００１４】
以上の実施の形態はズーム機構を有する第１ファインダレンズに、視差，視度調整機能を備える例を説明したが、ファインダ装置はズーム機構を備えないものにも適用可能である。また、適用されるレンズは第１ファインダレンズではなく、他のファインダレンズであっても同様な効果を得ることができる。さらに段差付きレンズは上下に段差部を有し、そのレンズ部が円形ではなく略長方形状をしている例を示したが、レンズ部の外形は上記実施の形態の形状に限るものではなく、外周部に段差を持てば、円形，楕円形，その他の形状であっても良い。
【００１５】
【発明の効果】
以上、説明したように本発明によれば、ファインダ装置の組み込み時に段差付きファインダレンズで視差調整が行え、視差調整機構で生じる開口部とレンズ部との間の段差部からの光の進入を阻止しフレア発生等を防止できる。さらに、視差調整のみならず、スペーサの厚さを選択することにより、同時に視度調整も可能となる。
【図面の簡単な説明】
【図１】本発明によるファインダ装置の調整機構を適用したディジタルカメラの外観図で、（ａ）は正面斜視図，（ｂ）は背面図である。
【図２】本発明によるファインダ装置の調整機構の実施の形態を示す一部分解斜視図である。
【図３】本発明によるファインダ装置の調整機構の実施の形態を示す正面図である。
【図４】本発明によるファインダ装置の調整機構の第１ファインダレンズ付近を示す概念図である。
【図５】ファインダ調整機構を断面で示した平面図である。
【図６】ファインダ調整機構の第１ファインダレンズ付近を示す断面図である。
【符号の説明】
１  ディジタルカメラ
２  ファインダ装置
３  ファインダ対物レンズ系
４  ズームボタン
５  ファインダ接眼部
６  撮影レンズ
７，２５  第１ファインダレンズ
８  第２ファインダレンズ
９  第３ファインダレンズ
１０  第４ファインダレンズ
１１  スペーサ
１５，２３  ファインダベース
１６  軸
１７，１８  カム従動突起
１９  螺旋カム部
２０  ファインダカム
２１  カムギヤ
２３  フレア
【図１】
2004151463.tif 000003
【図２】
2004151463.tif 000004
【図３】
2004151463.tif 000005
【図４】
2004151463.tif 000006
【図５】
2004151463.tif 000007
【図６】
2004151463.tif 000008